(57)【要約】【課題】  回線の収容効率に配慮しつつ、電力を効率的に制御できる電話交換装置を提供する。【解決手段】  本発明は、回線を終端する複数の回線終端部を備える電話交換装置において、各前記回線終端部に接続され、呼処理を行うと共に、各前記回線終端部に対する給電を制御する呼処理部と、電力値の規制に関する所定の閾値を記憶する記憶部と、前記回線の使用状況に応じて変化する使用電力値と、前記閾値とに基づき電力値規制を行うか否かを判断する電力値監視部とを有し、前記呼処理部は、前記電力値監視部による電力値規制の判断結果に基づき、未使用の前記回線を終端する各前記回線終端部への給電を制御することを特徴とする。【選択図】      図１
2019129367.tif 000002
【特許請求の範囲】
【請求項１】
回線を終端する複数の回線終端部を備える電話交換装置において、
各前記回線終端部に接続され、呼処理を行うと共に、各前記回線終端部に対する給電を制御する呼処理部と、
電力値の規制に関する所定の閾値を記憶する記憶部と、
前記回線の使用状況に応じて変化する使用電力値と、前記閾値とに基づき電力値規制を行うか否かを判断する電力値監視部とを有し、
前記呼処理部は、前記電力値監視部による電力値規制の判断結果に基づき、未使用の前記回線を終端する各前記回線終端部への給電を制御する
ことを特徴とする電話交換装置。
【請求項２】
前記呼処理部は、使用していた前記回線に空きが生じたタイミングで、前記電力値監視部に電力値規制を行っているか否かを問い合わせ、問い合わせた結果、電力値規制を行っている場合には、空きが生じた前記回線を終端する前記回線終端部への給電を停止する
ことを特徴とする請求項１に記載の電話交換装置。
【請求項３】
前記閾値には、第１の閾値と、該第１の閾値よりも小さい第２の閾値とが含まれ、
前記電力値監視部は、電力値規制を行っていない場合には、前記使用電力値と、前記第１の閾値とに基づき、電力値規制を行うか否か判断し、電力値規制を行っている場合には、前記使用電力値と、前記第２の閾値とに基づき、電力値規制を解除するか否か判断する
ことを特徴とする請求項１又は２に記載の電話交換装置。
【請求項４】
回線を終端する複数の回線終端部を備える電話交換装置に搭載されるコンピュータを、
各前記回線終端部に接続され、呼処理を行うと共に、各前記回線終端部に対する給電を制御する呼処理部と、
電力値の規制に関する所定の閾値を記憶する記憶部と、
前記回線の使用状況に応じて変化する使用電力値と、前記閾値とに基づき電力値規制を行うか否かを判断する電力値監視部と
して機能させ、
前記呼処理部は、前記電力値監視部による電力値規制の判断結果に基づき、未使用の前記回線を終端する各前記回線終端部への給電を制御する
ことを特徴とする電話交換制御プログラム。
【請求項５】
回線を終端する複数の回線終端部を備える電話交換装置に使用する電話交換制御方法であって、
呼処理部、記憶部、及び電力値監視部を有し、
前記呼処理部は、各前記回線終端部に接続され、呼処理を行うと共に、各前記回線終端部に対する給電を制御し、
前記記憶部は、電力値の規制に関する所定の閾値を記憶し、
前記電力値監視部は、前記回線の使用状況に応じて変化する使用電力値と、前記閾値とに基づき電力値規制を行うか否かを判断し、
前記呼処理部は、前記電力値監視部による電力値規制の判断結果に基づき、未使用の前記回線を終端する各前記回線終端部への給電を制御する
ことを特徴とする電話交換制御方法。
【発明の詳細な説明】
【技術分野】
【０００１】
本発明は、電話交換装置、電話交換制御プログラム、及び電話交換制御方法に関し、例えば、アナログ回線を収容する電話交換装置における消費電力値の監視及び制御に適用し得る。
【背景技術】
【０００２】
一般に電話交換装置は設置局舎の電力値上限に基づき、１システム当りの回線収容数を決定し、電力値の上限を超過しないように設計していた。この従来構成の電話交換装置では、システム設計時に使用電力値が決定するため、システムが使用する電力は電源容量を超えないようにすることができていた。
【０００３】
また、特許文献１のように無駄な電力を消費しないような省電力のための電力制御の技術も存在する。
【先行技術文献】
【特許文献】
【０００４】
【特許文献１】特開平８−２１４３４１号公報
【発明の概要】
【発明が解決しようとする課題】
【０００５】
しかしながら、上記従来構成の場合、定常時は通話していない回線が多数存在することから、システム上限に対して実際の使用電力値が大幅に低い状態である。つまり、最大消費電力に合わせてシステム設計を行うため、電力値上限に対して少ない回線数しか収容できず、１システム当りの収容効率が悪くなる。
【０００６】
また、必要回線数を収容するためには、多数のシステムを多数設置する必要があり、莫大なコストと設置面積を必要としてしまう課題があった。
【０００７】
そのため、回線の収容効率に配慮しつつ、電力を効率的に制御できる電話交換装置が望まれている。
【課題を解決するための手段】
【０００８】
第１の本発明は、回線を終端する複数の回線終端部を備える電話交換装置において、（１）各前記回線終端部に接続され、呼処理を行うと共に、各前記回線終端部に対する給電を制御する呼処理部と、（２）電力値の規制に関する所定の閾値を記憶する記憶部と、（３）前記回線の使用状況に応じて変化する使用電力値と、前記閾値とに基づき電力値規制を行うか否かを判断する電力値監視部とを有し、（４）前記呼処理部は、前記電力値監視部による電力値規制の判断結果に基づき、未使用の前記回線を終端する各前記回線終端部への給電を制御することを特徴とする。
【０００９】
第２の本発明の電話交換制御プログラムは、回線を終端する複数の回線終端部を備える電話交換装置に搭載されるコンピュータを、（１）各前記回線終端部に接続され、呼処理を行うと共に、各前記回線終端部に対する給電を制御する呼処理部と、（２）電力値の規制に関する所定の閾値を記憶する記憶部と、（３）前記回線の使用状況に応じて変化する使用電力値と、前記閾値とに基づき電力値規制を行うか否かを判断する電力値監視部として機能させ、（４）前記呼処理部は、前記電力値監視部による電力値規制の判断結果に基づき、未使用の前記回線を終端する各前記回線終端部への給電を制御することを特徴とする。
【００１０】
第３の本発明は、回線を終端する複数の回線終端部を備える電話交換装置に使用する電話交換制御方法であって、呼処理部、記憶部、及び電力値監視部を有し、（１）前記呼処理部は、各前記回線終端部に接続され、呼処理を行うと共に、各前記回線終端部に対する給電を制御し、（２）前記記憶部は、電力値の規制に関する所定の閾値を記憶し、（３）前記電力値監視部は、前記回線の使用状況に応じて変化する使用電力値と、前記閾値とに基づき電力値規制を行うか否かを判断し、（４）前記呼処理部は、前記電力値監視部による電力値規制の判断結果に基づき、未使用の前記回線を終端する各前記回線終端部への給電を制御することを特徴とする。
【発明の効果】
【００１１】
本発明によれば、回線の収容効率に配慮しつつ、電力を効率的に制御できる。
【図面の簡単な説明】
【００１２】
【図１】実施形態に係る電話交換装置の構成を示すブロック図である。
【図２】実施形態に係る電話交換装置の消費電力に応じて、電力値の規制状態が変化する様子を示す図である。
【図３】実施形態に係る電話交換装置各部の動作シーケンス（通話開始から電力値規制発動までのシーケンス）を示す図である。
【図４】実施形態に係るオフフック信号を受信したときの呼処理部の詳細動作を示すフローチャートである。
【図５】実施形態に係る電力値加算要求を受信したときの電力値監視部の詳細動作を示すフローチャートである。
【図６】実施形態に係る電話交換装置各部の動作シーケンス（電力値の規制発動中における通話終了までのシーケンス）を示す図である。
【図７】実施形態に係るオンフック通知を受信したときの呼処理部の詳細動作を示すフローチャートである。
【図８】実施形態に係る電話交換装置各部の動作シーケンス（電力値の規制解除のシーケンス）を示す図である。
【図９】実施形態に係る電力値減算要求を受信したときの電力値監視部の詳細動作を示すフローチャートである。
【発明を実施するための形態】
【００１３】
（Ａ）主たる実施形態
以下では、本発明の電話交換装置、電話交換制御プログラム、及び電話交換制御方法の実施形態を、図面を参照しながら詳細に説明する。
【００１４】
（Ａ−１）実施形態の構成
図１は、実施形態に係る電話交換装置の構成を示すブロック図である。この実施形態の電話交換装置は、その各部をハードウェアによって構成しても良く、また、一部の構成についてはソフトウェア的に構成しても良い。
【００１５】
図１において、電話交換装置１００は、制御ボード１と、アナログ回線終端部２１を備えるアナログ回線ボード２とを有する。なお、アナログ回線ボード２（アナログ回線終端部２１）及びアナログ電話機３は、加入者線（アナログ回線）を介して接続される。図１では、電話交換装置１００は、アナログ回線ボード２を１つ有する例を示しているが、複数備えていても良い。
【００１６】
制御ボード１は、データ管理部１１、電力値監視部１２、及び呼処理部１３を備える。
【００１７】
データ管理部１１は、電話交換装置１００で使用する電力値に関するデータ（使用電力上限値Ｄ１、規制発動閾値Ｄ２、規制解除閾値Ｄ３）を管理（保持）するものである。
【００１８】
使用電力上限値Ｄ１は、システム（電話交換装置１００）が使用可能な電力値の上限値であり、システム設計時に設定される。この使用電力上限値Ｄ１は、例えば、電話交換装置１００を設置する場所に割り当てられている電源容量に依存する。また、電力値の上限は、電源容量の増加といった動作環境の変更に対応するために、電話交換装置１００の稼働中に任意のタイミングで変更できるようにしても良い。
【００１９】
規制発動閾値Ｄ２は、電話交換装置１００が電力値規制を実行するための電力値（閾値）である。規制発動閾値Ｄ２は、その性質上、使用電力上限値Ｄ１より低い電力値が設定される。
【００２０】
規制解除閾値Ｄ３は、電力値規制を停止（解除）するための電力値（閾値）である。なお、規制発動と規制解除を繰り返さないよう規制発動閾値Ｄ２よりも低い電力値（例えば、規制発動閾値Ｄ２の７０〜９０％の値）を指定するものである。
【００２１】
電力値監視部１２は、電話交換装置１００の消費電力を監視（制御）するものである。電力値監視部１２は、アナログ回線の使用に応じて増減する使用電力値Ｄ４を用いて、電話交換装置１００の消費電力を把握する。そして、電力値監視部１２は、使用電力値Ｄ４と、規制発動閾値Ｄ２とを比較し、使用電力値Ｄ４が規制発動閾値Ｄ２を超えている場合には、規制が必要な通知（以下、「電力値規制発動通知」とも呼ぶ）を呼処理部１３へ送信する。また、電力値が規制されている状態において、電力値監視部１２は、使用電力値Ｄ４と、規制解除閾値Ｄ３とを比較し、使用電力値Ｄ４が規制解除閾値Ｄ３未満の場合には、規制を解除する通知（以下、「電力値規制解除通知」とも呼ぶ）を呼処理部１３へ送信する。
【００２２】
呼処理部１３は、電話サービスを実現するための処理（呼の接続、切断等の処理）を行うものである。この実施形態では、呼処理部１３は、少なくともアナログ電話サービスの機能を具備する必要があるが、その他ＩＳＤＮサービスやＶｏＩＰサービス等の機能を具備しても良い。この場合、それぞれのサービス間の接続も可能である（例えば、アナログ−ＩＳＤＮやＩＳＤＮ−ＩＰ電話間の通話等）。
【００２３】
また、呼処理部１３は、アナログ回線（アナログ回線終端部２１）からオフフック又はオンフックの通知を受信すると、使用電力値Ｄ４を更新させるために、アナログ回線の使用による電力値の加算（減算）の要求を電力値監視部１２に通知する。
【００２４】
さらに、呼処理部１３は、電力値監視部１２から電力値規制発動通知を受信すると、未使用のアナログ回線（アナログ回線終端部２１）への給電を停止する。一方、呼処理部１３は、電力値監視部１２から電力値規制解除通知を受信すると、給電を停止していたアナログ回線（アナログ回線終端部２１）への給電を再開する。
【００２５】
図２は、実施形態に係る電話交換装置の消費電力に応じて、電力値の規制状態が変化する様子を示す図である。
【００２６】
図２において、時間ｔ１及びｔ２では、消費電力値（使用電力値Ｄ４）が規制発動閾値Ｄ２を下回っているために、特に電力値の規制は行われていない。一方、時間ｔ３では、消費電力値が規制発動閾値Ｄ２を上回っているために、電力値の規制を行う（未使用のアナログ回線への給電を停止する）。時間ｔ４〜ｔ７では、消費電力値が規制解除閾値Ｄ３を下回っていないために、電力値の規制解除は行われない。一方、時間ｔ８では、消費電力値が規制解除閾値Ｄ３を下回っているために、電力値の規制解除を行う（停止したアナログ回線への給電を開始する）。
【００２７】
アナログ回線ボード２には、アナログ回線を収容する複数のアナログ回線終端部２１〜２１−ｎ（ｎは収容する回線数を示しており、実装に依存する）が搭載されている。
【００２８】
アナログ電話機３（３−１〜３−ｎ）は、通話を行う機能、オフフック又はダイアルによって通話要求を行う機能など、通常のアナログ電話機が備える機能を有する。この実施形態では、各アナログ電話機３は、アナログ回線を介して各アナログ回線終端部２１と１：１で接続されるものとするが、Ｍ（２以上の値）：１で接続されても良い（つまり、各アナログ回線終端部２１が、複数のアナログ電話機３を収容しても良い）。
【００２９】
なお、図１では、電話交換装置１００は、アナログ回線のスケーラビリティを確保するため、制御ボード１と１又は２以上のアナログ回線ボード２で構成されるシステムを前提として示しているが、制御ボード１及びアナログ回線ボード２を１つのボード上で実現しても良い。
【００３０】
（Ａ−２）実施形態の動作
次に、以上のような構成を有する実施形態に係る電話交換装置１００の動作を説明する。なお、電話交換装置１００では、当初、アナログ回線終端部２１−１〜２１−８が使用中であり、他は未使用であることを前提とする。なお、この前提は、説明を簡易にするために挙げた一例であり、アナログ回線終端部２１の数及び状態（使用、未使用）は限定されるものでは無い。
【００３１】
図３は、実施形態に係る電話交換装置各部の動作シーケンス（通話開始から電力値規制発動までのシーケンス）を示す図である。図３では、アナログ電話機３−９がオフフックされてからの動作を例として示している。
【００３２】
アナログ電話機３−９がオフフックされるとオフフック信号が、アナログ回線終端部２１−９を介して制御ボード１上の呼処理部１３に通知される（Ｓ１０１）。次に、呼処理部１３は、電力値の規制状態を電力値監視部１２へ問い合わせる（Ｓ１０２）。呼処理部１３は、問い合わせた結果、電力値の規制を行っていると判断された場合には呼処理を終了し、規制を行っていない場合には次の処理を行う。
【００３３】
呼処理部１３は、電力値が増加することを示すために、電力値監視部１２へ電力値加算要求を通知する（Ｓ１０３）。電力値監視部１２では、通話で消費する電力値を使用電力値Ｄ４に加算する（Ｓ１０４）。さらに、電力値監視部１２では、データ管理部１１より、規制発動閾値Ｄ２を読み出し、使用電力値Ｄ４との比較を行う（Ｓ１０５）。そして、電力値監視部１２は、使用電力値Ｄ４が規制発動閾値Ｄ２を超えている場合には、呼処理部１３に電力値規制発動通知を行う（Ｓ１０６）。
【００３４】
呼処理部１３は、未使用のアナログ回線を識別し、識別した回線の給電停止を行う（Ｓ１０７）。図３の例では、アナログ回線終端部２１−１〜２１−９は使用中であるため、未使用の回線を収容するアナログ回線終端部２１−１０〜２１−ｎに対して、給電停止要求を通知する。給電停止要求を受信したアナログ回線終端部２１−１０〜２１−ｎはアナログ回線の給電を停止する。
【００３５】
図４は、実施形態に係るオフフック信号を受信したときの呼処理部の詳細動作を示すフローチャートである。以下、先述の図３で説明した部分と一部重複するが、改めて説明を行う。
【００３６】
呼処理部１３は、電力値の規制状態を電力値監視部１２へ問い合わせる（Ｓ１０２−１）。
【００３７】
呼処理部１３は、電力値監視部１２へ問い合わせた結果、電力値の規制を行っていない場合には、後述するステップＳ１０３−１の処理を行い、電力値の規制を行っている場合には、次の処理を行う。
【００３８】
呼処理部１３は、電力値の規制を行っている場合には、アナログ回線終端部２１にエラー応答を送信する（Ｓ１０２−３）。
【００３９】
一方、呼処理部１３は、電力値の規制を行っていない場合には、電力値監視部１２へ電力値加算要求を通知する（Ｓ１０３−１）。
【００４０】
次に、呼処理部１３は、呼処理を行い、アナログ回線終端部２１に正常応答を送信して、処理を終了する（Ｓ１０３−２、Ｓ１０３−３）。
【００４１】
図５は、実施形態に係る電力値加算要求を受信したときの電力値監視部の詳細動作を示すフローチャートである。以下、先述の図３で説明した部分と一部重複するが、改めて説明を行う。
【００４２】
電力値監視部１２は、呼処理部１３より電力値加算要求を受信すると、通話で消費する電力値を使用電力値Ｄ４に加算する（Ｓ１０４）。
【００４３】
次に、電力値監視部１２は、データ管理部１１より、規制発動閾値Ｄ２を取得する（Ｓ１０５−１）。
【００４４】
次に、電力値監視部１２は、加算した使用電力値Ｄ４と規制発動閾値Ｄ２との比較を行い、使用電力値Ｄ４が規制発動閾値Ｄ２を超えていない場合には処理を終了し、超えている場合には次の処理を行う（Ｓ１０５−２、Ｓ１０５−３）。
【００４５】
電力値監視部１２は、呼処理部１３に電力値規制発動通知を送信し、処理を終了する（Ｓ１０６）。
【００４６】
次に、電力値の規制発動中において、回線の使用が終了した場合（通話が終了した場合）の動作を説明する。
【００４７】
図６は、実施形態に係る電話交換装置各部の動作シーケンス（電力値の規制発動中における通話終了までのシーケンス）を示す図である。図６では、アナログ電話機３−１〜３−ｎの内、アナログ電話機３−９がオンフックされてからの動作を例として示している。
【００４８】
アナログ電話機３−９がオンフックされるとオンフック通知が、アナログ回線終端部２１−９を介して制御ボード１上の呼処理部１３に通知される（Ｓ２０１）。呼処理部１３は、電力値が減少することを示すために、電力値監視部１２へ電力値減算要求を通知する（Ｓ２０２）。ステップＳ２０２〜ステップＳ２０５の処理については、後述する図８の説明で行う。
【００４９】
呼処理部１３は、電力値規制問い合わせを行い、電力値規制が継続している場合（規制発動中の場合）には、アナログ回線終端部２１−９へ給電停止要求を送信する（Ｓ２０６、Ｓ２０７）。アナログ回線終端部２１−９では給電停止要求を受信し、該当回線（使用していた回線）の給電を停止する。これは、アナログ回線が空き状態になった場合、再度使用されると使用中の電力値が下がらず、規制が継続することを防止するためである。
【００５０】
図７は、実施形態に係るオンフック通知を受信したときの呼処理部の詳細動作を示すフローチャートである。以下、先述の図６で説明した部分と一部重複するが、改めて説明を行う。
【００５１】
呼処理部１３は、オンフック通知を受信すると、呼処理（呼を切断する一連の処理）を行う（Ｓ２０２−１）。
【００５２】
呼処理部１３は、電力値監視部１２へ電力値減算要求を通知する（Ｓ２０２−２）。
【００５３】
呼処理部１３は、電力値の規制状態を電力値監視部１２へ問い合わせる（Ｓ２０６−１）。
【００５４】
呼処理部１３は、電力値監視部１２へ問い合わせた結果、電力値の規制を行っていない場合には、処理を終了し、電力値の規制を行っている場合には、次の処理を行う（Ｓ２０６−２）。
【００５５】
呼処理部１３は、該当するアナログ回線終端部２１に給電停止指示を行って、処理を終了する（Ｓ２０７）。
【００５６】
次に、電力値の規制解除に関する説明を行う。例えば、先述の通話終了時の動作にて該当回線（２１−９）の給電停止にすることで、使用終了回線が増えると共に、先述の図２の時間ｔ８で示したように使用電力値Ｄ４が下がっていくと、以下に示す電力値の規制解除が実行される。
【００５７】
図８は、実施形態に係る電話交換装置各部の動作シーケンス（電力値の規制解除のシーケンス）を示す図である。図８のステップＳ２０１〜Ｓ２０５の処理は、図６中のステップＳ２０１〜Ｓ２０５の処理と同様である。Ｓ２０１及びＳ２０２の処理は先に説明したので、ステップＳ２０３から説明を行う。
【００５８】
電力値監視部１２は、呼処理部１３から電力値減算要求を受信すると、先述のステップＳ１０４で加算した電力値を使用電力値Ｄ４から減算する（Ｓ２０３）。さらに、電力値監視部１２では、データ管理部１１より、規制解除閾値Ｄ３を読み出し、使用電力値Ｄ４との比較を行う（Ｓ２０４、Ｓ２０５）。そして、電力値監視部１２は、使用電力値Ｄ４が規制解除閾値Ｄ３未満の場合には、呼処理部１３に電力値規制解除通知を送信する（Ｓ３０１）。呼処理部１３は、給電を停止しているアナログ回線終端部２１−１０〜２１−ｎに対して、給電開始要求を通知する（Ｓ３０２）。これらの動作により電力値規制が解除される。
【００５９】
図９は、実施形態に係る電力値減算要求を受信したときの電力値監視部の詳細動作を示すフローチャートである。以下、先述の図８で説明した部分と一部重複するが、改めて説明を行う。
【００６０】
電力値監視部１２は、呼処理部１３より電力値減算要求を受信すると、先述のステップＳ１０４で加算した電力値を使用電力値Ｄ４から減算する（Ｓ２０３）。
【００６１】
次に、電力値監視部１２は、データ管理部１１より、規制解除閾値Ｄ３を取得する（Ｓ２０４）。
【００６２】
次に、電力値監視部１２は、使用電力値Ｄ４と規制解除閾値Ｄ３との比較を行い、使用電力値Ｄ４が規制解除閾値Ｄ３を超えている場合には処理を終了し、規制解除閾値Ｄ３未満の場合には次の処理を行う（Ｓ２０５−１、Ｓ２０５−２）。
【００６３】
電力値監視部１２は、呼処理部１３に電力値規制解除通知を送信する（Ｓ２０５−３）。
【００６４】
（Ａ−３）実施形態の効果
この実施形態によれば、電話交換装置１００は、アナログ回線の給電状態とシステムの使用電力値とを管理し、使用していない回線の給電を停止することで、システムに設定された消費電力値の上限（使用電力上限値Ｄ１）を超過しないように制御することができる。これにより、電話交換装置１００は、単純な回線数比例で電力値の設計をするよりも、多くの回線をシステムに収容することができるようになる。また、電話交換装置１００は、電力値規制の閾値を設けることで、特定の回線の給電を停止しないなど、柔軟に対応することができる。
【００６５】
（Ｂ）他の実施形態
本発明は、上記実施形態に限定されるものではなく、以下に例示するような変形実施形態も挙げることができる。
【００６６】
（Ｂ−１）上記実施形態では、電力値監視部１２は、規制発動閾値Ｄ２及び規制解除閾値Ｄ３の二つの閾値を用いて、電力値規制の制御（監視）を行っていたが、単一の閾値を用いて、電力値の制御（使用電力値Ｄ４が閾値を超えたら規制を行い、閾値未満の場合には規制を解除）をしても良い。
【００６７】
（Ｂ−２）上記実施形態では、アナログ回線の使用状況を常時監視することにより、電力値の規制を行う例を示したが、回線の使用状況が常時把握できるのであれば、アナログ回線とは別の他の回線を適用しても良い。
【符号の説明】
【００６８】
１…制御ボード、２…アナログ回線ボード、３（３−１〜３−ｎ）…アナログ電話機、１１…データ管理部、１２…電力値監視部、１３…呼処理部、２１（２１−１〜２１−ｎ）…アナログ回線終端部、１００…電話交換装置、Ｄ１…使用電力上限値、Ｄ２…規制発動閾値、Ｄ３…規制解除閾値、Ｄ４…使用電力値。
【図１】
2019129367.tif 000003
【図２】
2019129367.tif 000004
【図３】
2019129367.tif 000005
【図４】
2019129367.tif 000006
【図５】
2019129367.tif 000007
【図６】
2019129367.tif 000008
【図７】
2019129367.tif 000009
【図８】
2019129367.tif 000010
【図９】
2019129367.tif 000011